(57)【特許請求の範囲】
【請求項１】
少なくとも１つの光学的に読み取り可能な情報ディスクを保持するためのホルダーであって、
前記ホルダーは、前記ディスクの周辺縁部の少なくとも一部と釈放可能に適切に係合する手段を含み、
前記ホルダーが前記ディスクと係合するとき、連続する、段差のない、平坦な上面が適切に形成され、
以下の点、すなわち、
前記ディスクは、前記ディスクの前記ホルダーからの離脱が防止される第１の位置と、前記ディスクの前記ホルダーからの離脱が許容される第２の位置との間において、前記ホルダーに対し回転可能に移動することができる点を特徴とするホルダー。
【請求項２】
前記ディスクの孔内に適切に受け入れられる硬質のペグ部材を含む点を更に特徴とする請求項１記載のホルダー。
【請求項３】
前記ペグ部材は、連続する上面を含む点を更に特徴とする請求項２記載のホルダー。
【請求項４】
前記ホルダーは、円形のトラフ部材を備える実質的な平坦面と、前記トラフ部材から前記平坦面の上方に延出する少なくとも１つの突出部材とを含む点を更に特徴とする請求項１記載のホルダー。
【請求項５】
少なくとも２つの突出部材が、前記トラフ部材から延出する点を更に特徴とする請求項４記載のホルダー。
【請求項６】
前記トラフ部材の前記少なくとも２つの突出部材は、互いに直径を挟んで対向する点を更に特徴とする請求項５記載のホルダー。
【請求項７】
前記ディスクの前記周辺縁部の少なくとも一部を適切に受け入れるための少なくとも１つのアンダーカット部を含む点を更に特徴とする請求項１記載のホルダー。
【請求項８】
少なくとも２つの反対側において対向するアンダーカット部を含む点を更に特徴とする請求項７記載のホルダー。
【請求項９】
少なくとも４つのアンダーカット部を含む点を更に特徴とする請求項７記載のホルダー。
【請求項１０】
前記ホルダーは、前記ディスクとスナップ係合がフィットする態様で適切に係合される点を更に特徴とする請求項１記載のホルダー。
【請求項１１】
前記係合手段は、摩擦フィットによって前記ディスクの周辺縁部の少なくとも一部と釈放可能に適切に係合する点を更に特徴とする請求項１記載のホルダー。
【請求項１２】
前記係合手段は少なくとも、ポリフォーム、シリコン、天然ゴムおよび合成ゴムからなるグループから選択される材料から製造される表面を有する点を更に特徴とする請求項１記載のホルダー。
【請求項１３】
前記係合手段は、前記ディスクの周辺縁部の少なくとも一部と適切に係合する少なくとも１つのピン部材を含む少なくとも１つの表面を含む点を更に特徴とする請求項１記載のホルダー。
【請求項１４】
前記係合手段は、反対側で対面する２つの面を含み、それぞれが、少なくとも２つの前記ピン部材を含む点を更に特徴とする請求項１３記載のホルダー。
【発明の詳細な説明】
【０００１】
【発明の属する技術分野】
この発明は、光学的に読み取り可能な情報ディスク、例えば、コンパクトディスク(ＣＤ)用のホルダー、特に、そのようなディスクと離脱可能に係合するホルダーに関する。
【０００２】
【従来の技術】
１９８０年代前後の光学的に読み取り可能な情報ディスクの発明については、例えば、US Philips Corporationに付与されたUS特許第4,410,978号を参照されたい。そのようなディスクのための様々な設計のコンテナーすなわちホルダーが提案されている。Polygram Gmbhに付与されたUS特許第4,874,085号、および対応EP特許第0,086,484号は、ディスク状の情報媒体、例えば、ＣＤ用のコンテナーに関する。これらの文献の記載内容は、参照を目的にここに組み込まれる。
【特許文献１】
US5984093
【特許文献２】
US5502705
【特許文献３】
US5559649
【特許文献４】
US5610902
【特許文献５】
US4874085
【特許文献６】
CN1195167
【特許文献７】
TW414198
【特許文献８】
HK1041776
【特許文献９】
GB2374860
【特許文献１０】
US特許出願10/128426
【特許文献１１】
US5988375A
【特許文献１２】
US5690218A
【特許文献１３】
WO98/11542A
【特許文献１４】
WO68/111A
【特許文献１５】
WO94/14161A
【特許文献１６】
WO92/06904A
【特許文献１７】
WO01/11624A
【特許文献１８】
WO00/65595A
【特許文献１９】
EP283221B1
【特許文献２０】
US4874085
【特許文献２１】
US5502705
【特許文献２２】
US5559649
【特許文献２３】
US5610902
【特許文献２４】
US5984093
【特許文献２５】
US6178149
【特許文献２６】
US4771890
【特許文献２７】
US4916567
【特許文献２８】
US5690218
【特許文献２９】
US5813525
【特許文献３０】
US5988375
【特許文献３１】
WO92/06904
【特許文献３２】
EP0283221
【特許文献３３】
WO94/14161
【特許文献３４】
DE19611082
【特許文献３５】
WO98/11542
【特許文献３６】
UK2325215
【特許文献３７】
EP0886279
【特許文献３８】
EP1022743
【特許文献３９】
WO00/65595
【特許文献４０】
WO00/68111
【特許文献４１】
UK2352234
【特許文献４２】
WO01/1124
【特許文献４３】
US5579296
【特許文献４４】
US6016298
【特許文献４５】
US5600628
【０００３】
Polygram Gmbhに付与された上記の特許によってカバーされる貯蔵用コンテナーは、一般に「原石箱」"Original Jewel Box"(OJB)と称される。このOJBは、ＣＤの中心孔の内側面を係合するための中心ペグ構造体を備える底部を含む。この中心ペグ構造体は、その両側部がＣＤの中心孔と適切に係合する多数の可撓性部材を含む。OJBの主たる特徴は、中心ペグ構造体と上部位のレストが、ＣＤを保持するための唯一の手段を形成することである。特に、ＣＤの周縁部と記録情報エリアは、コンテナーとは接触しない。
【０００４】
OJBに付いては、中心ペグ構造体に関する様々な改良と新たな設計が施されてきた。例えば、Polygram Gmbhに付与されたDE特許第3,425,579号とWO99/60563を参照されたい。そのようなあらゆる新たな設計は、中心ペグ構造体の保持機能を向上することを追及している。
【０００５】
【発明が解決しようとする課題】
少なくとも、中心ペグ構造体とＣＤの中心孔の間の係合のみに依存しないホルダーを提供することがこの発明の目的の１つである。公衆に有用な代替品を提供することもこの発明の目的の１つである。
【０００６】
ＣＤと係合したとき、表面にグラフィックおよび／またはテキストを配置することができる平坦な表面を提供することもこの発明の目的の１つである。
【０００７】
【課題を解決するための手段】
この発明によれば、光学的に読み取りが可能な少なくとも１枚の情報ディスクを保持するホルダーが提供され、前記ホルダーは、これが前記ディスクと係合されたとき、連続する、段差のない、平坦な上面が適切に形成される点に特徴を有する、前記ディスクの周縁部の少なくとも一部を離脱可能に適切に係合する手段を含む。
【０００８】
【発明の実施の形態】
この発明を、例として示すに過ぎない具体例について添付図面を参照しつつ以下に説明する。
【０００９】
図１〜図２のＤを参照すれば、これらの諸図には、光学的に読み取り可能な情報ディスクのためのこの発明のホルダーの第１の具体例が符号１００として一般的に示される。この発明の光学的に読み取り可能な情報ディスク用のホルダーは、以後ＣＤホルダーに関連して論じられるが、このホルダーは、他の光学的読み取り可能な情報ディスク、例えばＤＶＤ用にも用いることができる点を理解すべきである。同様にまた、この光学的に読み取り可能なディスクは、ここでは、ＣＤに言及することによって説明されるが、そのようなＣＤは、同時に光学的に読み取り可能な情報ディスクの他の形態、例えば、ＤＶＤでもありうることを理解すべきである。この発明に関連して、ディスクは、円形のみに限定されるのではなく、添付図面に描かれるように、他の適当な形状を呈することもできることも理解すべきである。
【００１０】
ＣＤホルダー１００は、ほぼ長方形の形状で、ほぼ平坦なベース面１０２を備える。ベース面１０２の中心部分には、１つの硬質のペグ１０４が存在する。ペグ１０４は、非常に短いシリンダー状であることがわかる。このペグ１０４は、(以下に論じるように)それでＣＤと係合できるように、ＣＤの中心孔よりも僅かに小さい寸法に決められるので、このペグ１０４は、ＣＤの中心孔内に受け入れられる。しかしながら、このペグ１０４は、ＣＤの中心孔と何等積極的に係合するのではなく、したがって、ＣＤとも同様である。
【００１１】
１つの円形の溝１０６がペグ１０４を囲んでいる。２つの上方に向かって突出するニップル１０８が、溝１０６の面に設けられ、この２つは互いに直径を挟んで対向する。これらの両ニップル１０８は、ホルダー１００の平坦なベース面１０２を越えて起立する。溝１０６とニップル１０８の機能に付いては以下に論じる。
【００１２】
ホルダー１００の各長手方向端部には、起立したプラットフォーム１１０が存在する。各プラットフォーム１１０と平坦面１０２の間には、アンダーカット凹部１１２が存在する。これらのアンダーカット凹部１１２は、各起立プラットフォーム１１０のほぼ湾曲した内側１１４に追随する。
【００１３】
ホルダー１００によって適切に保持されるＣＤは、図３のＡ〜４のＥに、符号１５０として一般的に示される。ＣＤ１５０は、カードの一般的な形態である。ＣＤ１５０の上面１５２には、グラフィックおよび／またはテキスト資料を備えることができる。ＣＤ１５０の中心領域には、孔１５４が設けられる。上で論じたように、ホルダー１００のペグ１０４は、孔１５４に合わせて大きさが決められる。ＣＤ１５０の下側１５６は、コヒーレントな光源、例えばレーザー光によって照明されて読み取られる一連のデータトラックを備える。ＣＤ１５０の下側１５６にもまた、ＣＤ１５０がホルダー１００と係合したとき、溝１０６内に受け入れられるスタックリング１５８を備える。２つの小凹部１６０は、スタックリング１５８に設けられ、直径を挟んで互いに対向するように配置される。
【００１４】
ＣＤ１５０の各湾曲長手方向端部１６２に沿って、段差を形成するか面取りを施した部分１６４の連続ストリップが存在し、これがＣＤ１５０がホルダー１００によって拘束されることを可能にする。特に、ＣＤ１５０をホルダー１００に係合させるためには、図５のＦと５のＧに示すように、先ず第一に、ホルダー１００のペグ１０４が、ＣＤの孔１５４内に受け入れられることが必要であり、この場合、ＣＤ１５０の下側１５６は，平坦面１０２と向き合い、ＣＤ１５０の主軸Ｘ-Ｘ(図３のＢ参照)が、ホルダー１００の副軸Ｚ-Ｚにほぼ平行に配置される。ＣＤ１５０は、この位置において、ホルダー１００に対し図５のＧに矢印によって示す方向に回転されるので、下側の段差部分１６６がホルダー１００の凹部１１２内に進入しこの内部に受け入れられる。
【００１５】
下側の段差部分１６６が、ホルダー１００の凹部１１２内に完全に受け入れられるとき、ＣＤ１５０の主軸Ｘ-Ｘは、ホルダー１００の主軸Ｙ-Ｙと平行になり、ホルダー１００の溝１０６のニップル１０８が、ＣＤ１５０のスタックリング１５８の凹部１６０と係合するであろう。下側の段差部分１６６と凹部１１２の間の係合、および、ニップル１０８と凹部１６０の間の係合の両係合は、ＣＤ１５０をホルダー１００内に支持し、これに拘束することを助けるであろう。この点に関連して、ニップル１０８は、ＣＤ１５０の２つの凹部と係合するように適切に配置されるならば、直径を挟んで互いに対向する必要はない点を理解すべきである。
【００１６】
ＣＤ１５０をホルダー１００から釈放しようとする場合は、ＣＤ１５０を、下側の段差部分１６６が凹部１１２から離れるまでホルダー１００に対して回動する。この位置においては、ＣＤ１５０の主軸Ｘ-Ｘは、ホルダー１００の副軸Ｚ-Ｚとほぼ平行になるであろう。ＣＤ１５０とホルダー１００は、互いに係合を解除されるであろう。
【００１７】
ＣＤ１５０は、ＣＤ１５０とホルダー１００が互いに係合するとき、ＣＤ１５０の上面１５２がプラットフォーム１１０と同じ高さになるような厚さであり、全体が連続した平坦な上面が形成される点に注目すべきである。そのように形成される連続する平坦な上面に、例えば印刷されたグラフィックおよび／またはテキストが備えられることはこうして可能となる。そのような特徴は現存するＣＤホルダーによっては提供されない。その理由は、これまで配置された中心ペグ構造体は、移動しなければならないから、ペグ構造体の上方にスペースがなければならないからである。しかしながら、この発明においては、ペグ１０４は、平坦な上面を有するので、このことが、ＣＤホルダー１００とＣＤ１５０を結合した連続する上面を形成することを可能にする。
【００１８】
この発明のホルダーの第２の具体例が、図６〜図７のＤに、符号２００として一般的に示される。このホルダー２００の一般的な構造と形状は、ホルダー２００が、２つの連続する湾曲アンダーカット凹部１１２を備える代わりに、２対の面取りを施したアンダーカット凹部２０２を有する点を除き、ホルダー１００の構造と形状に類似する。２対の凹部２０２のそれぞれは、それぞれの起立するプラットフォーム２０６の湾曲内側縁部２０４の両端部に設けられる。凹部２０２の各々は、平坦な表面２０８に対して内側に傾斜した面を備え、他方においては、起立するプラットフォーム２０６の内側縁部２０４の残りが平坦面２０８に対し垂直な面を備える。
【００１９】
ホルダー２００と適切に係合する１つのＣＤが、図８のＡ〜図９に、符号２５０として一般的に示される。ＣＤ２５０は、図３のＡ〜図４のＥに示すＣＤ１５０に類似することがわかるであろう。しかしながら、ＣＤ２５０は、ＣＤ１５０の場合のように湾曲する連続段差部分の２つのストリップを備える代わりに、それぞれ、ＣＤ２５０の１つのコーナー部に設けられる４つの面取り部分２５２を有する。これらの面取り部分２５２は、ホルダー２００のアンダーカット凹部２０２内に受け入れられることができる。
【００２０】
ホルダー１００とＣＤ１５０の間の係合におけるように、ＣＤ２５０の面取り部分２５２は、ＣＤ２５０をホルダー２００と係脱するために、凹部２０２に滑り込み、また、凹部２０２から滑り出ることができる。更には、ＣＤ２５０の固有の弾性が原因となって、面取り部分２５２のそれぞれをスナップ係合でホルダーの該当する凹部２０２に出し入れすることによって、ＣＤ２５０をホルダー２００と係脱することが可能である。
【００２１】
この発明のホルダーの第３の具体例が、図１０〜図１１のＣに符号３００として一般的に示される。このホルダー３００は、一方の長手方向端部に広幅の起立プラットフォーム３０２を備え、他方の長手方向端部に幅の狭い起立プラットフォーム３０４を備えるほぼ長方形の形状をなす。プラットフォーム３０２の内側３０６は、ホルダー３００の平坦面３１０に対して垂直な面を備える直線の縁部３０８を有する。直線の縁部３０８の各端部には、アンダーカット凹部３１２が存在する。各凹部は、平坦面３１０に対して内側に向かって傾斜した１つの面を備える。プラットフォーム３０４の内側もまた、平坦面３１０に対して垂直な平坦面を備える直線の縁部３１４を有する。直線の縁部３１４の各端部には、１つのアンダーカット凹部３１６が存在し、これは、平坦面３１０に対し内側に傾斜した面を備える。この構造体においては、凹部３１２と３１６のサイズと形状は同一である。
【００２２】
ホルダー３００との係合に適切なＣＤは、図１２のＡ〜図１３のＤに符号３５０として一般的に示される。ＣＤ３５０は、ほぼ長方形をなし、従来の構造体におけるように中心孔を備える。ＣＤ３５０の各コーナー部には、ホルダー３００のアンダーカット凹部３１２または３１６内にフィットするようにサイズと形状が決められる面取り部分３５２が存在する。
【００２３】
ＣＤ３５０をホルダー３００に係合するために、２つの隣り合う面取り部分３５２が凹部３１２内に挿入される。残余の面取り部分３５２は、次に、凹部３１６内にスナップ係合される。ＣＤ３５０をホルダー３００から取り外すには、凹部３１６内に収容された２つの面取り部分を、凹部３１６とのスナップ係合から取り外す。こうすれば、ＣＤ３５０は、ホルダー３００から取り外すことができる。
【００２４】
図１４〜図１５のＣは、この発明のホルダーの第４の具体例が、符号４００として一般的に示される。このホルダー４００は、上に論じたホルダー３００と形状と構造において類似する。ホルダー４００はまた、内側部４０４を備える幅広の起立プラットフォーム４０２を有する。ホルダー３００とホルダー４００との間の主たる相違は、ホルダー３００の内側部３０６がホルダー３００の平坦面３１０に対して垂直な平面であるのに対し、ホルダー４００の内側部４０４は、直線的な連続するアンダーカット部４０６を備える点であり、この様子は図１５のＢに、より明確に示される。２つの内側に向かって傾斜したアンダーカット部４０８は、幅の狭い起立プラットフォーム４１２の内側部４１０の両端部に設けられる。
【００２５】
図１６のＡ〜１６のＤは、上に論じたホルダー４００と係合するのに適切なＣＤが符号４５０として一般的に示す。ＣＤ４５０の１つの縁部に沿って、ホルダー４００のアンダーカット部４０６内に受け入れられる下位の段差部４５４を備える直線の段差部４５２が設けられる。段差部４５２と向き合う縁部の各端部には、面取り部４５６が設けられており、この面取り部分は、ホルダー４００のアンダーカット部４０８の内部に受け入れられる。
【００２６】
ＣＤ４５０をホルダー４００に係合するために、下位の段差部４５４が先ず直線の連続するアンダーカット部４０６内に挿入される。面取り部分４５６が次いでホルダー４００のアンダーカット部４０８とスナップ係合される。ＣＤ４５０をホルダー４００から取り外すには、面取り部分４５６をアンダーカット部４０８とのスナップ係合から取り外す。下位の段差部分４５４は、次いで、アンダーカット部４０６から取り外されてＣＤ４５０がホルダー４００から取り出される。
【００２７】
この発明のホルダーの第５の具体例が、図１７〜図１８のＢに符号５００として一般的に示される。このホルダー５００は、ほぼ正方形状を呈し、以下に論じるように、ＣＤを収容するための部位の低いほぼ円形の部分５０２を備える。この部位の低い部分５０２は、円形の側部壁５０４に沿って配置され、直径を挟んで互いに対向する２つのロック部分５０８を除いては、ホルダー５００のベース面５０６に対して垂直な連続する円形の側部壁５０４を有する。図１８のＢに更にはっきりと示されるように、ロック部分５０８のそれぞれは、ホルダー５００のベース面５０６に対して内側に向かって傾斜する面を備える。
【００２８】
ホルダー５００と係合するために適切な１つのＣＤが、図１９のＡおよびＢに、符号５５０として一般的に示される。このＣＤ５５０は、円形状を呈し、面取りされた周辺縁部５５２を有する。ＣＤ５５０をホルダー５００に係合するには、ＣＤ５５０が、ホルダー５００の面の上方に載置され、ホルダー５００の中心にある硬質のペグ５１０は、部分的にＣＤ５５０の中心孔５５３内に受け入れられ、下面５５４は、ホルダー５００のベース面５０６と向かい合う。次に、ＣＤ５５０の面取り縁部５５２が、ロック部分５０８とスナップ係合で嵌り合ってＣＤ５５０をホルダー５００に固定する。ＣＤ５５０をホルダー５００から取り外すには、ＣＤ５５０の面取り縁部５５２が、ホルダー５００のロック部分５０８とのスナップ係合を外される。
【００２９】
図２０のＡは、この発明のホルダーの第６の具体例を符号６００として一般的に示しており、ＣＤ６５０はホルダー６００と適切に係合する。このホルダー６００は、平坦なベース面６０２を備え、ほぼ長方形である。１つのペグ６０４は、面６０２の中心に設けられ、以下に論じるように、ＣＤの孔内に受け入れられるようなサイズと外観を決められる。ホルダー６００の短い方の各側は、起立壁６０６であり、この起立壁は、ホルダー６００の短い方の側の全長に亘って延出し、２つの隣接コーナーと交わる。起立壁６０６の内側面には、摩擦パッドが設けられ、これはポリフォーム、シリコン、天然ゴムおよび合成ゴム等から製造される。
【００３０】
ＣＤ６５０は、形状において、ホルダー６００の面６０２に対応し、ホルダー６００のペグ６０４を受け入れるための中心孔６５２を有する。ＣＤ６５０がホルダー６００と係合されるとき、摩擦パッド６０８は、パッド６０８とＣＤ６５０の該当する側面６５４との間の摩擦力によってＣＤ６５０を係合位置に拘束する傾向を示す。これに関連して、ＣＤ６５０とホルダー６００との間の係合を助長するために、ホルダー６００のペグ６０４もまた、ポリフォーム、シリコン、天然ゴムおよび合成ゴム等から製造されても差し支えない。
【００３１】
この発明のホルダーの第７の具体例が、図２１と図２２に符号７００として一般的に指定される。図２２にはまた、ホルダー７００と係合するＣＤ７５０も示される。ほぼ長方形のホルダー７００は、２つの起立したプラットフォーム７０２を有し、プラットフォームのそれぞれは、ホルダーの１つの長手方向端部に存在する。各プラットフォーム７０２の湾曲内側部７０４には、２つの摩擦ピン７０６があって、ＣＤ７５０の湾曲周辺縁部７５２と係合する。ホルダー７００の２つの湾曲内側部７０４は、その中心がホルダー７００のペグ７０８の中心である円弧である。ＣＤ７５０の湾曲周辺縁部７５２もまた、その中心が、ＣＤ７５０の孔７５４の中心である円弧である。湾曲内側部７０４の曲率半径と周辺縁部７５２の曲率半径は、同一であり、図２２に示される距離ｄ１、ｄ２は同一である。このような構造にあっては、ペグ７０８が孔７５４内に受け入れられたとき、ＣＤ７５０は、ホルダー７００と係合、離脱するためにホルダー７００に対し、摩擦ピン７０６と脱着するように回転される。
【００３２】
上の説明は、この発明の実施例を示すだけであり、様々な変形および／または改変が、発明の精神を逸脱することなく可能である点を理解すべきである。
【００３３】
そしてまた、別の具体例の文脈において明らかにするために説明されたこの発明の或る特徴は、単一の具体例において、組み合わせをなして提供されることも理解すべきである。逆に、単一の具体例の文脈において簡略に説明されたこの発明の様々な特徴は、別々に、そして適切なサブコンビネーションをなして提供される点も理解すべきである。
【図面の簡単な説明】
【図１】光学的に読み取り可能な情報ディスクのためのこの発明のホルダーの第１の具体例の上面斜視図。
【図２】Ａは、図１に示すホルダーの上面図。
Ｂは、ＡのA‐A線に沿う断面図。
Ｃは、ＡのB‐B線に沿う断面図。
Ｄは、Ａに示すホルダーの側面図。
【図３】Ａは、図１に示すホルダーと係合したＣＤの上面図。
Ｂは、Ａに示すＣＤの底面図。
【図４】Ｃは、図３のＡに示す側面図。
Ｄは、図３のＡにおけるC‐C線に沿う断面図。
Ｅは、図３のＡにおけるD‐D線に沿う断面図。
【図５】Ｆは、図１に示すホルダーと図３のＡに示すＣＤが互いに係合する様子を示す図。
Ｇは、図１に示すホルダーと図３のＡに示すＣＤとの間の係合と、離脱の様子を示す図。
【図６】光学的に読み取り可能な情報ディスクのためのこの発明のホルダーの第２の具体例の上面斜視図。
【図７】Ａは、図６に示すＣＤホルダーの上面図。
Ｂは、ＡのE‐E線に沿う断面図。
Ｃは、ＡのF‐F線に沿う断面図。
Ｄは、Ａに示すＣＤホルダーの側面図。
【図８】Ａは、図６に示すＣＤホルダーと係合することができるＣＤの上面図。
Ｂは、ＡのG‐G線に沿う断面図。
Ｃは、Ｂの円で囲んだ部分の拡大図。
【図９】図８のＡに示すＣＤの底面図。
【図１０】光学的に読み取り可能な情報ディスクのためのこの発明のホルダーの第３の具体例の上面斜視図。
【図１１】Ａは、図１０に示すＣＤホルダーの上面図。
Ｂは、ＡのH‐H線に沿う断面図。
Ｃは、ＡのJ‐J線に沿う断面図。
【図１２】Ａは、図１０に示すＣＤホルダーの上面図。
Ｂは、ＡのK‐K線に沿う断面図。
【図１３】Ｃは、図１２のＡに示すＣＤの底面図。
Ｄは、図１２のＡに示すＣＤの右側面図。
【図１４】光学的に読み取り可能な情報ディスクのためのこの発明のホルダーの第４の具体例の上面斜視図。
【図１５】Ａは、図１４に示すＣＤホルダーの上面図。
Ｂは、ＡのM‐M線に沿う断面図。
Ｃは、ＡのN‐N線に沿う断面図。
【図１６】Ａは、図１４に示すＣＤホルダーと係合することができるＣＤの上面図。
Ｂは、ＡのP‐P線に沿う断面図。
Ｃは、Ａに示すＣＤの底面図。
Ｄは、Ａに示すＣＤの右側面図。
【図１７】光学的に読み取り可能な情報ディスクのためのこの発明のホルダーの第５の具体例の上面斜視図。
【図１８】Ａは、図１７に示すＣＤホルダーの上面図。
Ｂは、ＡのQ‐Q線に沿う断面図。
【図１９】Ａは、図１７に示すＣＤホルダーと係合することができるＣＤの上面図。
Ｂは、Ａに示すＣＤの側面図。
【図２０】Ａは、光学的に読み取り可能な情報ディスクのためのこの発明のホルダーの第６の具体例と、これに係合することができるＣＤを示す。
Ｂは、Ａの円で囲んだ部分の拡大図。
【図２１】光学的に読み取り可能な情報ディスクのためのこの発明のホルダーの第７の具体例の上面斜視図。
【図２２】図２１に示す光学的に読み取り可能な情報ディスクのためのこの発明のホルダーの第７の具体例と、これに係合することができるＣＤを示す。
【符号の説明】
１００，２００，３００，４００，５００，６００、７００…ホルダー，１５０，２５０，３５０，４５０，５５０，６５０，７５０…ＣＤ，１０４，６０４，７０８…ペグ，７０６…摩擦ピン，１１０，２０６，３０４，４１２…プラットフォーム，１０８…ニップル，１１２，２０２，３１２，４０８…アンダーカット凹部，１６４，３５２…面取り部分，５０８…ロック部分，６０８…摩擦パッド，７０６…摩擦ピン。
【図１】
0004116319.tif 000002
【図２】
0004116319.tif 000003
【図３】
0004116319.tif 000004
【図４】
0004116319.tif 000005
【図５】
0004116319.tif 000006
【図６】
0004116319.tif 000007
【図７】
0004116319.tif 000008
【図８】
0004116319.tif 000009
【図９】
0004116319.tif 000010
【図１０】
0004116319.tif 000011
【図１１】
0004116319.tif 000012
【図１２】
0004116319.tif 000013
【図１３】
0004116319.tif 000014
【図１４】
0004116319.tif 000015
【図１５】
0004116319.tif 000016
【図１６】
0004116319.tif 000017
【図１７】
0004116319.tif 000018
【図１８】
0004116319.tif 000019
【図１９】
0004116319.tif 000020
【図２０】
0004116319.tif 000021
【図２１】
0004116319.tif 000022
【図２２】
0004116319.tif 000023